(57)【要約】【課題】外面電極型蛍光ランプの部品点数及び作業工程を減らしてコストダウンを実現する。【解決手段】可視光の反射率が０％以上３０％以下の遮光層１４上に一対の外面電極１３Ａ，１３Ｂを備えた電極シートを用いる。これにより、部品点数を削減することができ、ガラス管１１の外周面にフィルムを設置する工程を減らすことが可能となる。【選択図】図１
2008210687.tif 000002
【特許請求の範囲】
【請求項１】
ガラス管の内面に蛍光体膜を管軸方向に沿ってアパーチャを有して形成し、
前記ガラス管の内部に希ガスを封入し、
少なくとも一対の外面電極と当該外面電極に対応する部分に可視光の反射率が０％以上３０％以下の遮光層とを備えた電極シートを前記ガラス管の外面に前記外面電極が管軸方向に沿うとともに前記遮光層よりもガラス管側になるように配置したこと
を特徴とする外面電極型蛍光ランプ。
【請求項２】
ガラス管の内面に蛍光体膜を管軸方向に沿ってアパーチャを有して形成し、
前記ガラス管の内部に希ガスを封入し、
少なくとも一対の外面電極と当該外面電極に対応する部分に可視光反射率が０％以上３０％以下の遮光層とを備えた電極シートを前記ガラス管の外面に前記外面電極が管軸方向に沿うとともに前記遮光層よりもガラス管側になるように配置した外面電極型蛍光ランプと、
前記外面電極型蛍光ランプの前記外面電極に電気的に接続され高周波電圧を印加する電源と、
を有することを特徴とする照明装置。
【発明の詳細な説明】
【技術分野】
【０００１】
本発明は、コピー機、スキャナー等に使用される読み取り用光源や車載計器照明などに用いる外面電極型蛍光ランプ及び照明装置に関する。
【背景技術】
【０００２】
コピー機やスキャナー等の読み取り装置では、原稿に光を照射し、反射した光をレンズ等を介してＣＣＤ（Charge Coupled Device Image Sensor）において受光し、画像を電気信号に変換する。
【０００３】
外面電極型蛍光ランプを読み取り用の光源として使用した場合、光学設計上予期しない光が周辺部材に反射して原稿やＣＣＤに入射することにより発生するエラーを回避するために、可視光の反射率が３０％以下の高分子材料をフィルム状に加工して、開口部を除く外周に配置している（特許文献１参照）。
【０００４】
図９は、従来の外面電極型蛍光ランプの構成を示す断面図である。従来の外面電極型蛍光ランプは、ガラス管８１の内面に蛍光体膜８２を管軸方向に沿ってアパーチャ部８０を有するように形成し、内部にキセノンガスなどの希ガスを封入する。ガラス管８１の外面の蛍光体膜８２に対応する部分には、一対の外面電極８３Ａ，８３Ｂが透明フィルム８６に配置された電極シートが設けられている。電極シートは、可視光の反射率が０％以上３０％以下の高分子材料を使用した遮光フィルム８４で覆われている。さらに、外面電極型蛍光ランプの外周面を透光性熱収縮チューブ８５で覆うことにより、電極シートを固定している。
【０００５】
なお、特許文献２には、希ガス蛍光ランプの外面に反射層を設け照度を向上する技術が開示されているが、反射率が３０％以下の高分子材料では特許文献２に記載されるような反射層としては機能しない。
【特許文献１】特開２００４−２８８６００号公報
【特許文献２】特開平１１−２７３６２４号公報
【発明の開示】
【発明が解決しようとする課題】
【０００６】
しかしながら、特許文献１に記載の蛍光ランプは、透光性フィルムと外面電極とで構成されている電極シートをガラス管の外面に配置し、その上に可視光の反射率が０−３０％の高分子材料を加工したフィルムを配置しているので、ガラス管の外面にフィルムを配置する工程を２度行う必要がある。
【０００７】
本発明は、上記に鑑みてなされたものであり、その課題とするところは、部品点数及び作業工程を減らしてコストダウンを実現することにある。
【課題を解決するための手段】
【０００８】
本発明に係る外面電極型蛍光ランプは、ガラス管の内面に蛍光体膜を管軸方向に沿ってアパーチャを有して形成し、ガラス管の内部に希ガスを封入し、少なくとも一対の外面電極と当該外面電極に対応する部分に可視光の反射率が０％以上３０％以下の遮光層とを備えた電極シートをガラス管の外面に外面電極が管軸方向に沿うとともに遮光層よりもガラス管側になるように配置したことを特徴とする。
【０００９】
本発明にあっては、外面電極を覆う遮光層を備えた電極シートを用いることにより、部品点数を削減し、ガラス管の外周面にフィルムを設置する工程を減らすことを可能とする。
【発明の効果】
【００１０】
本発明によれば、部品点数及び作業工程を減らしてコストダウンを実現することができる。
【発明を実施するための最良の形態】
【００１１】
以下、本発明の実施の形態について図面を用いて説明する。
【００１２】
［第１の実施の形態］
図１は、第１の実施の形態における外面電極型蛍光ランプの構成を示す断面図である。同図は、管径が約８ｍｍ、管長が約２７０ｍｍの外面電極型蛍光ランプを輪切りにした断面を示している。
【００１３】
同図に示す外面電極型蛍光ランプは、ガラス管１１の内面に蛍光体膜１２を管軸方向に沿ってアパーチャ部１０を有するように形成されており、ガラス管１１の内部には、例えばキセノンガスなどの希ガスが封入されている。ガラス管１１の外面の蛍光体膜１２に対応する部分には、可視光の反射率が０％以上３０％以下の遮光層１４上に一対の外面電極１３Ａ，１３Ｂを備えた電極シートが設けられている。外面電極１３Ａ，１３Ｂのそれぞれは、遮光層１４よりガラス管側で、ガラス管１１の管軸方向の全長に渡って配置されている。外面電極蛍光ランプの外周は、透光性熱収縮チューブ１５で覆われている。この透光性熱収縮チューブ１５により、ガラス管１１が保護されるとともに、電極シートをしっかりと固定している。以下、電極シートについて図を用いて説明する。
【００１４】
図２は、本実施の形態における外面電極型蛍光ランプに使用される電極シートの構成を示す平面図であり、図３は、電極シートの外面電極１３Ａの部分における構成を示す断面図である。図２に示す電極シートは、図１に示す断面のガラス管１１のアパーチャ部１０を除いた外周程度の幅であって、ガラス管１１のほぼ全長の長さを有している。
【００１５】
外面電極１３Ａ，１３Ｂのそれぞれは、電極シートの長手方向に対して平行に、ほぼ電極シートの全長に渡って配置されている。外面電極１３Ａ，１３Ｂは、可視光の反射率が０％以上３０％以下の高分子材料を使用したフィルムによる遮光層１４に接着されている。外面電極１３Ａ，１３Ｂの対向する辺はのこぎり状の形状であり、外面電極１３Ａ，１３Ｂの符号２１Ａ，２１Ｂで示す辺がアパーチャ部１０に面するように電極シートはガラス管１１の外面に配置される。外面電極１３Ａ，１３Ｂの辺がのこぎり形状であることにより、のこぎり形状の凸部間で放電が行われて、陽光柱が拡散するので、ちらつきを抑え、より均一な発光を得ることができる。なお、外面電極１３Ａ，１３Ｂの対向する各辺はのこぎり状の形状に限定されず、直線であっても良いし、他の形状であってもよい。
【００１６】
図３の電極シート断面図に示すように、外面電極１３Ａ，１３Ｂは、遮光層１４に接着剤３２で固定される。電極シートの外面電極１３Ａ，１３Ｂ側は接着剤３１によりガラス管１１に固定される。外面電極１３Ａ，１３Ｂには、アルミニウムなどの導電性を有するテープを利用する。遮光層１４には、黒色に着色したポリエチレンテレフタラート（ＰＥＴ）を用いる。このように、可視光の反射率が０％以上３０％以下の高分子材料の遮光層１４を備えることにより、外面電極型蛍光ランプの外面において外面電極１３Ａ，１３Ｂで反射する光を抑制することができる。また、外面電極１３Ａ，１３Ｂと、可視光の透過率が０％以上３０％以下の遮光層１４とを備えた電極シートを用いることにより、電極シートを覆う反射率の低いフィルムが必要なくなるので、部品点数を削減することができ、ガラス管１１の外周面にフィルムを設置する工程を減らすことが可能となる。
【００１７】
外面電極型蛍光ランプの外面電極１３Ａ，１３Ｂは、リード線などを介して高周波電圧を印加する電源に電気的に接続されて照明装置を構成する。このようにして構成された照明装置は、コピー機やスキャナーなどの読み取り用光源として利用されたり、車載計器照明などに用いられる。
【００１８】
図４は、第１の実施の形態における別の外面電極型蛍光ランプの構成を示す断面図である。同図に示す外面電極型蛍光ランプは、図１に示した外面電極型蛍光ランプに対して、遮光層４４Ａ，４４Ｂが外面電極１３Ａ，１３Ｂに対応する部分のみ覆っている点、および、遮光層４４Ａ，４４Ｂ、外面電極１３Ａ，１３Ｂが透光性フィルム４６上に接着されている点で異なっている。
【００１９】
図４に示す外面電極型蛍光ランプに使用される電極シートは、外面電極１３Ａ，１３Ｂと可視光の反射率が０％以上３０％以下の高分子材料とを貼り合わせて所望の形状に打ち抜き、透光性フィルム４６を貼り合わせて形成する。このように、外面電極型蛍光ランプの外面において光を反射する外面電極１３Ａ，１３Ｂに対応する部分を遮光層１４で覆うことにより、外面電極型蛍光ランプの外面において外面電極１３Ａ，１３Ｂで反射する光を防ぐことができる。
【００２０】
図５は、第１の実施の形態におけるさらに別の外面電極蛍光ランプの構成を示す断面図である。同図に示す外面電極型蛍光ランプは、図４に示したものに対して、遮光層５４Ａ，５４Ｂの端部の形状が異なっている。
【００２１】
図５に示す遮光層５４Ａ，５４Ｂの端部は、外面電極１３Ａ，１３Ｂの端を覆う部分まで形成されている。一方、図４に示した遮光層４４Ａ，４４Ｂの端部は、外面電極１３Ａ，１３Ｂを覆い、さらにガラス管１１に沿って折れ曲がっている。
【００２２】
したがって、本実施の形態によれば、可視光の反射率が０％以上３０％以下の遮光層１４上に一対の外面電極１３Ａ，１３Ｂを備えた電極シートを用いることにより、部品点数を削減することができ、ガラス管１１の外周面にフィルムを設置する工程を減らすことが可能となる。
【００２３】
なお、遮光層１４は、可視光の透過率が０％以上３０％以下の接着剤により形成してもよい。
【００２４】
［第２の実施の形態］
図６は、第２の実施の形態における外面電極型蛍光ランプの構成を示す断面図である。同図に示す外面電極型蛍光ランプは、図１に示した外面電極型蛍光ランプに対して、遮光層１４のガラス管側に可視光の反射率が６０％以上の高分子材料を使用したフィルムによる反射層５６を備えている点で異なっている。このように、遮光層１４のガラス管側に可視光を反射する反射層５６を備えることにより、蛍光体膜１２において発光した光が反射層５６で反射し、アパーチャ部１０より出射されるので、蛍光ランプの効率を向上することができる。また、外面電極１３Ａ，１３Ｂ、反射層５６は、遮光層１４により覆われているので、外面電極型蛍光ランプの外面における光の反射を抑制することができる。
【００２５】
図７は、本実施の形態における外面電極型蛍光ランプに使用される電極シートの構成を示す断面図である。同図に示すように、遮光層１４は反射層５６を外面電極１３Ａ，１３Ｂ側に備えており、反射層５６は外面電極１３Ａ，１３Ｂに接着剤６２で固定されている。外面電極１３Ａ，１３Ｂ側が接着剤６１によりガラス管１１に固定される。このように、遮光層１４、反射層５６および外面電極１３Ａ，１３Ｂを貼り合わせた電極シートを用いることにより、部品点数を削減することができる。
【００２６】
図８は、第２の実施の形態における別の外面電極型蛍光ランプの構成を示す断面図である。同図に示す外面電極型蛍光ランプは、図６に示したものに対して、反射層７６が外面電極１３Ａ，１３Ｂのガラス管側に配置されている点で異なっている。
【００２７】
したがって、本実施の形態によれば、遮光層１４よりもガラス管側に配置される面に可視光の反射率が６０％以上の反射層５６を備えた電極シートを用いることにより、蛍光ランプの効率を向上することができる。
【図面の簡単な説明】
【００２８】
【図１】第１の実施の形態における外面電極型蛍光ランプの構成を示す断面図である。
【図２】図１の外面電極型蛍光ランプに用いられた電極シートの構成を示す平面図である。
【図３】図２の電極シートの構成を示す断面図である。
【図４】第１の実施の形態における別の外面電極型蛍光ランプの構成を示す断面図である。
【図５】第１の実施の形態におけるさらに別の外面電極型蛍光ランプの構成を示す断面図である。
【図６】第２の実施の形態における外面電極型蛍光ランプの構成を示す断面図である。
【図７】図６の外面電極型蛍光ランプに用いられた電極シートの構成を示す断面図である。
【図８】第２の実施の形態における別の外面電極型蛍光ランプの構成を示す断面図である。
【図９】従来の外面電極型蛍光ランプの構成を示す断面図である。
【符号の説明】
【００２９】
１０…アパーチャ部
１１…ガラス管
１１…特許文献特開平
１２…蛍光体膜
１３Ａ，１３Ｂ…外面電極
１４…遮光層
１５…透光性熱収縮チューブ
３１，３２…接着剤
４４Ａ，４４Ｂ，５４Ａ，５４Ｂ…遮光層
４６…透光性フィルム
５６…反射層
６１，６２，６３…接着剤
７６…反射層
８０…アパーチャ部
８１…ガラス管
８２…蛍光体膜
８３Ａ，８３Ｂ…外面電極
８４…遮光フィルム
８５…透光性熱収縮チューブ
８６…透明フィルム
【図１】
2008210687.tif 000003
【図２】
2008210687.tif 000004
【図３】
2008210687.tif 000005
【図４】
2008210687.tif 000006
【図５】
2008210687.tif 000007
【図６】
2008210687.tif 000008
【図７】
2008210687.tif 000009
【図８】
2008210687.tif 000010
【図９】
2008210687.tif 000011